(57)【特許請求の範囲】
【請求項１】
回収室と展示室とに仕切られた箱形状に形成され、回収室にガラスの破片を回収する回収部が設けられる一方、展示室の少なくとも前面が透明の保護壁によって覆われてなる装置本体と、
展示室内に設けられ、ガラス片を装着するようになされたガラス装着部と、
ガラス装着部に装着されたガラス片に衝突するようにバネ部材によって付勢されたハンマーと、
装置本体の外側に設けられ、ハンマーに連動するレバーとを具備し、
バネ部材の付勢力に抗してレバーを引っ張った後に手を離すことによってハンマーをガラスに衝突させてガラスの割れ具合を体験するとともに、破損したガラスの破片を、回収部で回収するようになされたことを特徴とするガラス割れ体験装置。
【発明の詳細な説明】
【０００１】
【産業上の利用分野】
本発明は、ガラスの性能を、そのガラスを割ってもらうことで体験するようになされた装置に関するものである。
【０００２】
【従来の技術】
従来より、住宅建物の窓に使用されているガラスとしては、合わせガラス、補強ガラス、網入りガラスなどの各種ガラスが使用される。これらのガラスの違いは、住宅建物のカタログに紹介したり、展示住宅に訪れた購入予定者に、口頭で説明したりしていた。
【０００３】
【発明が解決しようとする課題】
しかし、実際の窓に使用されているガラスは、外観上は略同じであるため、その性能の違いは、カタログに紹介したり、口頭で説明したりしても、実感することができないといった不都合を生じることとなる。
【０００４】
また、カタログに紹介したり、口頭で説明したりする場合、容易に理解してもらいにくく、説明に時間がかかって煩わしくなる。
【０００５】
さらに、カタログの紹介や口頭での説明の場合、単に強度の違いなどを数値で把握するだけになってしまうので、それぞれのガラスの違いを印象づけることができないといった不都合を生じることとなる。
【０００６】
本発明は、係る実情に鑑みてなされたものであって、ガラスの違いを容易に把握でき、その違いを印象づけることができるガラスの割れ体験装置を提供することを目的としている。
【０００７】
【課題を解決するための手段】
上記課題を解決するための本発明のガラスの割れ体験装置は、回収室と展示室とに仕切られた箱形状に形成され、回収室にガラスの破片を回収する回収部が設けられる一方、展示室の少なくとも前面が透明の保護壁によって覆われてなる装置本体と、展示室内に設けられ、ガラス片を装着するようになされたガラス装着部と、ガラス装着部に装着されたガラス片に衝突するようにバネ部材によって付勢されたハンマーと、装置本体の外側に設けられ、ハンマーに連動するレバーとを具備し、バネ部材の付勢力に抗してレバーを引っ張った後に手を離すことによってハンマーをガラスに衝突させてガラスの割れ具合を体験するとともに、破損したガラスの破片を、回収部で回収するようになされたものである。
【０００８】
【発明の実施の形態】
以下、本発明の実施の形態を図面を参照して説明する。
【０００９】
図１ないし図４はガラス割れ体験装置１の全体構成の概略を示し、図５は同ガラス割れ体験装置１の使用状態を示している。
【００１０】
すなわち、このガラス割れ体験装置１は、装置本体２と、ガラス装着枠３と、ハンマー４と、レバー５とを具備している。
【００１１】
装置本体２は、箱形状に形成されており、底部および背面部を構成する回収室２１と、前面上部を構成する展示室２２とに仕切られている。
【００１２】
回収室２１は、その底部に引き出し２３が設けられ、この引き出し２３内にガラスの破片を回収できるようになされている。また、回収室２１の背面部にも、この引き出し２３へとガラスの破片が落下するのを案内するダストカバー２４が設けられている。また、回収室２１の背面部の上方は、蓋２５によって開閉するようになされている。
【００１３】
展示室２２は、前面に、ポリカーボネートなどの強化プラスチック材料で形成された透明の保護壁２６が設けられている。また、展示室２２の底板２７には、回収孔２７ａが設けられ、ガラスの破片を、この回収孔２７ａから引き出し２３に落下させて回収することができるようになされている。さらに、展示室２２の背面板２８には、開口部２０が形成され、この開口部２０にガラス片６を装着するガラス装着枠３が設けられている。
【００１４】
このガラス装着枠３は、前記背面板２８の開口部２０の裏面にガラス片６を当接した状態で、このガラス片６の底辺を受ける支承部３１と、ガラス片６の四隅近傍を支持する支持片３２とによって形成されている。このガラス装着枠３へのガラス片６の装着は、回収室２１の蓋２５を開けて開口部２０の裏面と支持片３２との間にガラス片６を差込み支承部３１に支承させることによって行われる。
【００１５】
ハンマー４は、回動軸４１から直交して延設された支軸４２の先端に設けられている。この回動軸４１は、底板２７上に回動可能に装着されている。ハンマー４は、この回動軸４１を支点として、開口部２０を貫通する軌跡Ａで回動可能となされている。回動軸４１には、バネ部材４３が設けられ、このバネ部材４３の付勢力によって、ハンマー４は、常に開口部２０の方向に付勢するようになされている。
【００１６】
レバー５は、装置本体２の外側まで突出された回動軸４１の突出端部に、この回動軸４１に直交するように取り付けられている。
【００１７】
次に、このガラス割れ体験装置１の使用方法について説明する。
図５（ａ）および（ｂ）に示すように、まず、使用するに当り、ガラス装着枠３にガラス片６を装着しておく。
【００１８】
ついで、図５（ｃ）および（ｄ）に示すように、バネ部材４３の付勢力に抗してレバー５を手前に引き、手を離す。すると、レバー５の引き具合に応じた衝撃力で、ハンマー４がガラス片６に衝突する。
【００１９】
この際、レバー５を引っ張る時の抵抗力で、どの程度の衝撃力でハンマー４がガラス片６に衝突するかといったことがある程度予測できるので、どの程度の衝撃力でガラス片６が割れるかといったことを見極めることで、ガラス片６の強度を実感することができる。
【００２０】
また、装着するガラス片６の違いによっては、ちょっとした衝撃力で割れたり、逆に相当な衝撃力でも割れなかったりすることとなるので、ガラス片６の種類毎の強度の違いを実感することができる。
【００２１】
ハンマー４によってガラス片６に衝撃力を加える場合、ガラス片６は、透明の保護壁２６によって被覆されているので、安全に行うことができる。
【００２２】
また、破損したガラス片６の破片は、ダストカバー２４に案内されて引き出し２３内に落下して回収される。また、展示室２１内に飛散したガラス片６の破片についても、回収孔２７ａ内に掃き込むことで、引き出し２３内に回収することができる。したがって、ガラス片６の破片の処理も、引き出し２３内にたまったガラス片６の破片を捨てるだけで簡単に行うことができる。
【００２３】
このガラス割れ体験装置１は、展示住宅内の部屋に設置しておき、展示住宅に訪れた人に体験してもらうことで、ガラスの種類の違いによって強度がどのように異なるかを身をもって知ってもらうことができる。
【００２４】
なお、本実施の形態において、ガラス装着部３は、背面板２８の開口部２０の裏面と支持片３２との間にガラス片６を差込み、このガラス片６を支承部３１で支承するようになされているが、このガラス片６を装着する手段としては、背面板２８の開口部に面してガラス片６を装着することができれば、特に限定されるものではなく、背面板２８の開口部２０の裏面と、ダストカバー２４との間に突っ張り棒（図示省略）のようなものを設け、この突っ張り棒によって、背面板２８の開口部２０の裏面にガラス片６を当接するようにしたものであっても良い。
【００２５】
また、本実施の形態では、ハンマー４は、レバー５の引き具合によって、ガラス片６に衝突する衝撃力が調節されることとなるが、このレバー５を引っ張る時の抵抗力から、どの程度の衝撃力でハンマー４がガラス片６に衝突するかといったことを表示するようにしても良い。
【００２６】
【発明の効果】
以上述べたように、本発明によると、レバー操作によってハンマーをガラスに衝突させ、その時、どの程度の衝撃力でガラスが割れるかといったことからガラスの強度を実感することができる。また、装着するガラス片の違いによっては、ちょっとした衝撃力でガラスが割れたり、逆に相当な衝撃力でもガラスが割れなかったりすることとなるので、ガラスの種類毎の強度の違いも実感することができる。
【００２７】
また、ガラスの破損時には、透明の保護壁によって覆われているので、安全で、かつ、破損したガラスの破片は、破損ガラス回収部で回収することができるので、安全にガラスの強度などを確かめることがてきる。
【図面の簡単な説明】
【図１】ガラス割れ体験装置の全体構成の概略を示す正面図である。
【図２】ガラス割れ体験装置の全体構成の概略を示す平面図である。
【図３】ガラス割れ体験装置の全体構成の概略を示す側面図である。
【図４】ガラス割れ体験装置の垂直側断面図である。
【図５】（ａ）ないし（ｄ）はガラス割れ体験装置の使用状態を示す工程図である。
【符号の説明】
１  ガラス割れ体験装置
２  装置本体
２１  回収室
２２  展示室
２３  引き出し（回収部）
２６  保護壁
３  ガラス装着枠（ガラス装着部）
４  ハンマー
５  レバー
６  ガラス片
【図１】
0003617922.tif 000002
【図２】
0003617922.tif 000003
【図３】
0003617922.tif 000004
【図４】
0003617922.tif 000005
【図５】
0003617922.tif 000006